(57)【特許請求の範囲】
【請求項１】
遊技場における遊技により使用された貨幣を収納する収納部、ロック状態で前記貨幣収納装置の扉の開閉を禁止し、ロック解除により前記扉を開閉自在にするロック機構、外部記録媒体に対してデータの読取りと書込みとを行なう外部記録媒体処理部を有する貨幣収納装置と、
前記貨幣収納装置から係員により回収された貨幣を計数する計数装置と、
前記計数装置による貨幣の計数結果を含む貨幣回収結果情報を管理する管理装置と
を具備し、
前記貨幣収納装置は、
前記外部記録媒体処理部を介して前記係員の識別情報を保持した前記外部記録媒体の認証を行なう認証処理手段と、
前記認証処理手段による認証に成功した場合に、前記ロック機構による前記扉のロックを解除させる制御を行なうロック制御手段と、
ロック解除された前記扉を開けて前記収納部から貨幣を回収する際、前記外部記録媒体処理部を介して前記認証に成功した外部記録媒体に当該貨幣収納装置が記憶している貨幣収納数を含む貨幣回収情報の書込みを行なう書込処理手段と
を具備し、
前記管理装置は、
前記貨幣収納装置から前記係員により回収された貨幣に基づく前記計数装置による計数結果を取得する第１の取得手段と、
前記係員が前記貨幣収納装置から貨幣を回収する際に該貨幣収納装置により前記外部記録媒体に書き込まれた当該貨幣収納装置が記憶している貨幣収納数を含む貨幣回収情報を取得する第２の取得手段と、
前記第１の取得手段により取得された前記貨幣収納装置から前記係員により回収された貨幣に基づく前記計数装置による計数結果と、前記第２の取得手段により取得された前記貨幣収納装置が貨幣回収に際して記憶していた貨幣収納数を含む前記貨幣回収情報とに基づく貨幣回収結果情報の管理を行なう管理手段と
を具備する貨幣回収システム。
【請求項２】
前記管理装置は、
前記第１の取得手段により取得された前記計数結果と、前記第２の取得手段により取得された前記貨幣回収情報に含まれる前記貨幣収納装置が記憶していた貨幣収納数とに基づき貨幣の回収が正常に行なわれたか否かの判定を行なう判定手段
を更に具備する請求項１記載の貨幣回収システム。
【請求項３】
前記計数装置は、
前記貨幣収納装置から回収された前記計数結果と、前記書込処理手段により前記外部記録媒体に書込まれた前記貨幣回収情報に含まれる前記貨幣収納装置が記憶していた貨幣収納数とに基づき貨幣の回収が正常に行なわれたか否かの判定を行なう判定手段
を具備する請求項１記載の貨幣回収システム。
【請求項４】
前記認証処理手段および前記書込処理手段は、
前記外部記録媒体処理部を介した前記外部記録媒体に対する処理を並列して行なう
請求項１記載の貨幣収納システム。
【請求項５】
前記貨幣回収情報は、
前記収納部に収納された貨幣の合計金額、前記収納部に収納された金種の各貨幣別の枚数、前記外部記録媒体に書込みを行なった時刻、前記貨幣収納装置を識別するための識別情報、の内の少なとも１つを含む
請求項１記載の貨幣収納システム。
【請求項６】
遊技場における遊技により使用された貨幣を収納する収納部と、
ロック状態で自装置の扉の開閉を禁止し、ロック解除により前記扉を開閉自在にするロック機構と、
外部記録媒体に対してデータの読取りと書込みとを行なう外部記録媒体処理部と、
各種制御を行なう制御部と
を具備し、
前記制御部は、
前記外部記録媒体処理部を介して前記係員の識別情報を保持した前記外部記録媒体の認証を行なう認証処理手段と、
前記認証処理手段による認証に成功した場合に、前記ロック機構による前記扉のロックを解除させる制御を行なうロック制御手段と、
ロック解除された前記扉を開けて前記収納部から貨幣を回収する際、前記外部記録媒体処理部を介して前記認証に成功した外部記録媒体に当該貨幣収納装置が記憶している貨幣収納数を含む貨幣回収情報の書込みを行なう書込処理手段と
を具備する貨幣収納装置。
【請求項７】
遊技場における遊技により使用された貨幣を収納する貨幣収納装置から係員により回収された貨幣に基づく計数装置による計数結果を取得する第１の取得手段と、
前記貨幣収納装置の扉を開閉する係員認証に用いる係員の識別情報を保持し、認証が成功することにより前記扉を開けて前記貨幣収納装置から貨幣を回収する際に該貨幣収納装置により当該貨幣収納装置が記憶している貨幣収納数を含む貨幣回収情報が書き込まれた外部記録媒体から該外部記録媒体に書き込まれた前記貨幣回収情報を取得する第２の取得手段と、
前記第１の取得手段により取得された前記貨幣収納装置から前記係員により回収された貨幣に基づく前記計数装置による計数結果と、前記第２の取得手段により取得された前記貨幣収納装置が貨幣回収に際して記憶していた貨幣収納数を含む前記貨幣回収情報とに基づく貨幣回収結果情報の管理を行なう管理手段と
を具備する管理装置。
【発明の詳細な説明】
【技術分野】
【０００１】
本発明は、遊技媒体（パチンコ、メダル等）の貸出により回収された貨幣を回収する貨幣回収システム、貨幣収納装置および管理装置に関する。
【背景技術】
【０００２】
パチンコやスロット等の遊技台を通して遊技サービスを提供する遊技場においては、島と称されるグループ毎に複数の遊技台が配設される。島には、遊技台の他、玉貸し処理機や玉計数機などが適宜設けられており、島端部には、玉貸しにより遊技客から回収された貨幣（紙幣、硬貨）を収納するための貨幣収納装置が設置される。貨幣収納装置に収納された貨幣の回収に際しては、現金がからむためその取扱に細心の注意を払う必要がある。
【０００３】
このような貨幣収納装置に関する技術としては、例えば、貨幣の回収に際して、扉の開閉時刻、回収金額等をプリンタで印字するものや、また、回収した貨幣を高額貨幣と低額貨幣とに分けて別個の収納部に収納するものが知られている（例えば、特許文献１）。
【特許文献１】特開２００２−１９７５１１号
【発明の開示】
【発明が解決しようとする課題】
【０００４】
上述した通り、貨幣収納装置に関する技術は種々提案されているが、貨幣回収状況を確認するには、紙媒体へ出力された情報（扉の開閉時刻、回収金額等）を参照するくらいしか方法がなく、現金を扱う上で管理が十分であるとは言い難かった。
【０００５】
また、上述した扉の開閉時刻や回収時刻等の情報だけでは、回収を行なった従業員を特定することもできず、貨幣の回収に際してトラブルや不正が発覚したとしても、十分に対応することができなかった。
【０００６】
そこで、本発明は、貨幣回収状況の管理が容易に行えるとともに、貨幣回収に際して発生したトラブルや不正に対しても対応できるようにした貨幣回収システム、貨幣収納装置および管理装置を提供することを目的とする。
【課題を解決するための手段】
【０００７】
上記目的を達成するために、請求項１の貨幣回収システムの発明は、遊技場における遊技により使用された貨幣を収納する収納部、ロック状態で前記貨幣収納装置の扉の開閉を禁止し、ロック解除により前記扉を開閉自在にするロック機構、外部記録媒体に対してデータの読取りと書込みとを行なう外部記録媒体処理部を有する貨幣収納装置と、前記貨幣収納装置から係員により回収された貨幣を計数する計数装置と、前記計数装置による貨幣の計数結果を含む貨幣回収結果情報を管理する管理装置とを具備し、前記貨幣収納装置は、前記外部記録媒体処理部を介して前記係員の識別情報を保持した前記外部記録媒体の認証を行なう認証処理手段と、前記認証処理手段による認証に成功した場合に、前記ロック機構による前記扉のロックを解除させる制御を行なうロック制御手段と、ロック解除された前記扉を開けて前記収納部から貨幣を回収する際、前記外部記録媒体処理部を介して前記認証に成功した外部記録媒体に当該貨幣収納装置が記憶している貨幣収納数を含む貨幣回収情報の書込みを行なう書込処理手段とを具備し、前記管理装置は、前記貨幣収納装置から前記係員により回収された貨幣に基づく前記計数装置による計数結果を取得する第１の取得手段と、前記係員が前記貨幣収納装置から貨幣を回収する際に該貨幣収納装置により前記外部記録媒体に書き込まれた当該貨幣収納装置が記憶している貨幣収納数を含む貨幣回収情報を取得する第２の取得手段と、前記第１の取得手段により取得された前記貨幣収納装置から前記係員により回収された貨幣に基づく前記計数装置による計数結果と、前記第２の取得手段により取得された前記貨幣収納装置が貨幣回収に際して記憶していた貨幣収納数を含む前記貨幣回収情報とに基づく貨幣回収結果情報の管理を行なう管理手段とを具備する。
【０００８】
また、請求項２の発明は、請求項１の発明において、前記管理装置は、前記第１の取得手段により取得された前記計数結果と、前記第２の取得手段により取得された前記貨幣回収情報に含まれる前記貨幣収納装置が記憶していた貨幣収納数とに基づき貨幣の回収が正常に行なわれたか否かの判定を行なう判定手段を更に具備する。
【０００９】
また、請求項３の発明は、請求項１の発明において、前記計数装置は、前記貨幣収納装置から回収された前記計数結果と、前記書込処理手段により前記外部記録媒体に書込まれた前記貨幣回収情報に含まれる前記貨幣収納装置が記憶していた貨幣収納数とに基づき貨幣の回収が正常に行なわれたか否かの判定を行なう判定手段を具備する。
【００１０】
また、請求項４の発明は、請求項１の発明において、前記認証処理手段および前記書込処理手段は、前記外部記録媒体処理部を介した前記外部記録媒体に対する処理を並列して行なう。
【００１１】
また、請求項５の発明は、請求項１の発明において、前記貨幣回収情報は、前記収納部に収納された貨幣の合計金額、前記収納部に収納された金種の各貨幣別の枚数、前記外部記録媒体に書込みを行なった時刻、前記貨幣収納装置を識別するための識別情報、の内の少なとも１つを含む。
【００１２】
また、請求項６の貨幣収納装置の発明は、遊技場における遊技により使用された貨幣を収納する収納部と、ロック状態で自装置の扉の開閉を禁止し、ロック解除により前記扉を開閉自在にするロック機構と、外部記録媒体に対してデータの読取りと書込みとを行なう外部記録媒体処理部と、各種制御を行なう制御部とを具備し、前記制御部は、前記外部記録媒体処理部を介して前記係員の識別情報を保持した前記外部記録媒体の認証を行なう認証処理手段と、前記認証処理手段による認証に成功した場合に、前記ロック機構による前記扉のロックを解除させる制御を行なうロック制御手段と、ロック解除された前記扉を開けて前記収納部から貨幣を回収する際、前記外部記録媒体処理部を介して前記認証に成功した外部記録媒体に当該貨幣収納装置が記憶している貨幣収納数を含む貨幣回収情報の書込みを行なう書込処理手段とを具備する。
【００１３】
また、請求項７の管理装置の発明は、遊技場における遊技により使用された貨幣を収納する貨幣収納装置から係員により回収された貨幣に基づく計数装置による計数結果を取得する第１の取得手段と、前記貨幣収納装置の扉を開閉する係員認証に用いる係員の識別情報を保持し、認証が成功することにより前記扉を開けて前記貨幣収納装置から貨幣を回収する際に該貨幣収納装置により当該貨幣収納装置が記憶している貨幣収納数を含む貨幣回収情報が書き込まれた外部記録媒体から該外部記録媒体に書き込まれた前記貨幣回収情報を取得する第２の取得手段と、前記第１の取得手段により取得された前記貨幣収納装置から前記係員により回収された貨幣に基づく前記計数装置による計数結果と、前記第２の取得手段により取得された前記貨幣収納装置が貨幣回収に際して記憶していた貨幣収納数を含む前記貨幣回収情報とに基づく貨幣回収結果情報の管理を行なう管理手段とを具備する。
【発明の効果】
【００１６】
本発明によれば、貨幣回収状況の管理が容易に行なえることになる。また、貨幣の回収に際してトラブルや不正が発覚したとしても、それに対応することができる。
【発明を実施するための最良の形態】
【００１７】
以下、本発明に係わる貨幣回収システム、貨幣収納装置および管理装置、貨幣回収処理プログラムおよび貨幣回収情報管理プログラムの実施例について添付図面を参照して詳細に説明する。
【実施例】
【００１８】
図１は、パチンコホールの全体構成の一例を示す図である。
【００１９】
パチンコホール１０には、島２０と称されるグループが１または複数設けられる。島２０には、複数の遊技台１２が配設されており、各遊技台１２には、遊技媒体であるパチンコ玉を貸し出す処理を行う玉貸し処理機１３が設けられている。島２０には、遊技台１２や玉貸し処理機１３の他、玉計数機１４なども適宜配設されている。
【００２０】
島２０の端部には、島端金庫３０が設置されている。島端金庫３０には、玉貸し処理機１３等において回収された紙幣（硬貨であってもよい）が遊技台１２や貸出機１２等の背面側に設置された搬送機構２１により搬送される。これにより、遊技者の目に触れることなく、玉貸し処理機１３等から回収された紙幣が島端金庫３０に収納されることになる。
【００２１】
また、ホール内には、事務所１１が設けられる。事務所１１には、島端金庫３０から回収された紙幣を計数するための紙幣計数装置５０や、計数された紙幣の枚数等を含む回収結果データの管理を行なう管理装置７０等が設けられる。
【００２２】
ここで、本実施例における貨幣回収システムの説明を分かり易くするために、島端金庫３０に収納された紙幣を回収する際の流れについて簡単に説明する。
【００２３】
図２に示すように、島端金庫３０には、紙幣収納部３３の引き出しを禁止すべく扉３６が設けられている。この扉はロック機構３７によりその開放が禁止されている。島端金庫３０からの紙幣の回収に際しては、ＩＣカード（以下、このカードのことをセキュリティカードと言う）を用いてロック機構３７による扉３６のロックを解除させる。ここで、セキュリティカードは、図３に示すように、記録部としてのＩＣチップと、送受信部としてのアンテナとを具備して構成される。記録部には、従業員を識別するための従業員ＩＤに対応して、島端金庫を識別するための号機名、セキュリティカードに書込みを行なった時刻（回収時刻）、各紙幣の枚数、合計金額、等を含む回収データが記録されるエリアがある。従業員ＩＤは、カードに固定で記録されているデータであるが、回収データは、島端金庫３０の開放時に島端金庫３０により書き込まれるデータである。なお、カードに固定で従業員ＩＤを記録させずに、例えば、島端金庫３０の開閉に際して、従業員ＩＤの入力を促し、当該入力されたＩＤをカードに書き込むようにしてもよい。
【００２４】
さて、従業員がセキュリティカードを島端金庫３０のカードモジュール部３５にかざすと、当該かざされたセキュリティカードの認証が行なわれる。ここで、認証に成功した場合、ソレノイド等のロック機構３７が解除され、島端金庫３０の扉３６が開閉自在となる。このとき、カードには上記説明した回収データが書き込まれる。
【００２５】
扉３６のロックが解除されると、これを受けた従業員は、扉３６を開放させ紙幣収納部３３から紙幣の回収を行なう。紙幣の回収が済むと、紙幣収納部３３を元に戻した後、扉３６を閉じる。ここで、島端金庫３０の扉３６は再びロック状態となる。
【００２６】
島端金庫３０からの紙幣の回収が済むと従業員は次に、事務所１１内に設置された紙幣計数装置５０に回収した紙幣を投入するとともに、紙幣計数装置５０に設けられたカードモジュール部５３に島端金庫３０のロック解除に用いたセキュリティカードをかざす。すると、カード内に記録されたカードデータ（従業員ＩＤ、回収データを含む）が紙幣計数装置５０に送信される。これを受けた紙幣計数装置５０は、投入された紙幣を計数し、その計数データとカードから読取られたカードデータとを管理装置７０に送信する。管理装置７０では、紙幣計数装置５０から送られてきた計数データとカードデータ内における回収データとを比較し、紙幣の回収が問題なく行なわれか否かの判定を行なう。なお、この判定を管理装置７０で行なわず紙幣計数装置５０側で行なってもよい。その後、管理装置７０は、この判定結果とともに、計数データとカードデータとに基づく回収結果データを作成しこれを記憶管理する。これにより、一連の紙幣回収業務が終了する。
【００２７】
次に、図４を用いて、図１、図２で説明した島端金庫３０の機能的な構成の一部について説明する。
【００２８】
島端金庫３０は、その機能構成として、紙幣入金部３１と、紙幣識別部３２と、紙幣収納部３３と、記憶部３４と、カードモジュール部３５と、扉３６と、ロック機構３７と、表示部３８ａと、操作部３８ｂと、制御部３９とを具備して構成される。
【００２９】
紙幣入金部３１は、搬送機構２１により搬送されてきた紙幣を受け入れ、島端金庫３０内に玉貸し処理機１３等から回収された紙幣を入金する機能を果たし、紙幣識別部３２は、紙幣入金部３１から入金された紙幣の真偽や金種の識別を行う機能を果たし、紙幣収納部３３は、紙幣識別部３２により識別された紙幣を収納する機能を果たし、記憶部３４は、各種データを記憶する機能を果たす。また、カードモジュール部３５は、セキュリティカードに対して読取りと書込みとを行なう機能を果たし、扉３６は、紙幣収納部３３に収納された紙幣の取り出しを禁止させる機能を果たし、ロック機構３７は、扉３６をロックしその開閉を禁止する機能を果たし、表示部３８ａは、各種情報の表示を行なう機能を果たし、操作部３８ｂは、操作者からの指示を装置内に入力する機能を果たし、制御部３９は、島端金庫３０における処理を統括制御する機能を果たす。なお、記憶部３４には各種プログラムの他、紙幣収納部３３に収納された紙幣の金種や枚数、合計金額等を含む金銭データが記憶される。
【００３０】
続いて、上述した制御部３９の機能的な構成の一部について説明する。
【００３１】
制御部３９は、その機能構成として、認証処理部４１と、回収データ書込み処理部４２と、ロック制御部４３とを具備して構成される。
【００３２】
認証処理部４１は、カードモジュール部３５で読み取られたセキュリティカードの認証を行う機能を果たす。この認証によりセキュリティカードが真正のカードであるか否か等の判別が行なわれることになる。
【００３３】
回収データ書込み処理部４２は、カードモジュール部３５を介してセキュリティカード内に回収データの書込みを行なう機能を果たす。回収データは、セキュリティカード内に予め記録された従業員ＩＤに関連付けて書き込まれる。なお、回収データは、セキュリティカードに書込みを行なった時刻、島端金庫の号機名、記憶部３４に記憶された金銭データ、の内のいずれか若しくはその全てを含む情報で構成される。
【００３４】
ロック制御部４３は、ロック機構３７を制御し、扉３６のロック／ロック解除を制御する機能を果たす。
【００３５】
以上が、島端金庫３０についての説明である。なお、上記説明した島端金庫３０の構成はあくまで一例であり、これに限られるものではない。例えば、上記構成から操作部３８ｂを除いてもよい。
【００３６】
次に、図５を用いて、図１で説明した紙幣計数装置５０、管理装置７０の機能的な構成の一部について説明する。
【００３７】
まず、紙幣計数装置５０について説明する。
【００３８】
紙幣計数装置５０は、その機能構成として、計数部５１と、紙幣収納部５２と、カードモジュール部５３と、通信部５４と、制御部５５とを具備して構成される。
【００３９】
計数部５１は、紙幣投入口から投入された紙幣の真偽や金種を識別し、各紙幣の枚数を計数する機能を果たし、紙幣収納部５２は、計数された紙幣を収納する機能を果たす。
【００４０】
カードモジュール部５３は、セキュリティカードに対して読取りと書込みとを行なう機能を果たす。なお、カードモジュール部５３は、外付け、内蔵のいずれであってもよい。
【００４１】
通信部５４は、紙幣計数装置５０と他装置との間の通信を制御する機能を果たし、制御部５５は、紙幣計数装置５０における処理を統括制御する機能を果たす。
【００４２】
続いて、上述した制御部５５の機能的な構成の一部について説明する。
【００４３】
制御部５５は、その機能構成として、認証処理部６１と、カードデータ読取り処理部６２と、回収データ消去処理部６３と、データ送信処理部６４とを具備して構成される。
【００４４】
認証処理部６１は、カードモジュール部５３で読み取られたセキュリティカードの認証を行う機能を果たす。この認証によりセキュリティカードが真正のカードであるか否か等の判別が行なわれることになる。
【００４５】
カードデータ読取り処理部６２は、カードモジュール部５３を介してセキュリティカード内からカードデータ（従業員ＩＤ、回収データを含む）の読取りを行なう機能を果たし、回収データ消去処理部６３は、セキュリティカード内から回収データを消去させる機能を果たす。
【００４６】
データ送信処理部６４は、セキュリティカードから読み取られたカードデータ、計数部５１により計数された計数データを管理装置７０に送信する機能を果たす。
【００４７】
以上が、紙幣計数装置５０についての説明である。なお、上記説明した紙幣計数装置５０の構成はあくまで一例であり、これに限られるものではない。例えば、紙幣を収納する機能はなくてもよく、上記構成から紙幣収納部５２を除いてもよい。
【００４８】
次に、管理装置７０について説明する。
【００４９】
管理装置７０は、その機能構成として、表示部７１と、操作部７２と、通信部７３と、記憶部７４と、制御部７５とを具備して構成される。
【００５０】
表示部７１は、各種情報の表示を行う機能を果たし、操作部７２は、操作者からの指示を装置内に入力する機能を果たし、通信部７３は、管理装置７０と他装置との間の通信を制御する機能を果たし、記憶部７４は、各種データを記憶する機能を果たし、制御部７５は、管理装置７０における処理を統括制御する機能を果たす。記憶部７４には各種プログラムの他、回収結果データが記憶される。なお、回収結果データについての説明は後述する。
【００５１】
続いて、上述した制御部７５の機能的な構成の一部について説明する。
【００５２】
制御部７５は、カードデータ取得部８１と、計数データ取得部８２と、回収結果精査判定部８３と、回収結果データ管理部８５とを具備して構成される。
【００５３】
カードデータ取得部８１は、カードデータを取得する機能を果たし、計数データ取得部８２は、計数データを取得する機能を果たす。本実施例におけるカードデータ取得部８１、計数データ取得部８２におけるカードデータ、計数データの取得は、これらデータを紙幣計数装置５０から通信部７３を介して受信することで行なわれる。
【００５４】
回収結果精査判定部８３は、回収データと計数データとに基づき島端金庫３０からの紙幣の回収が正常に行なわれたか否かの判定を行なう機能を果たす。なお、本実施例における回収結果精査判定部８３においては、回収データ、計数データ内における各紙幣の枚数が一致するか否かに基づき紙幣の回収が正常に行なわれたか否かの判定を行なうことになる。
【００５５】
回収結果データ作成部８４は、カードデータ、計数データおよび回収結果精査判定部８３による判定結果に基づき回収結果データを作成する機能を果たし、回収結果データ管理部８５は、回収結果データ作成部８４により作成された回収結果データの管理を行なう機能を果たす。ここで、回収結果データは、上記記憶部７４に記憶されて管理されることになり、例えば、図６に示すデータ構成を採る。回収結果データは、カードデータ、計数データ、回収結果、を含んで構成される。カードデータは、セキュリティカードに記録されたデータに基づくものであり、計数データは、紙幣計数装置７０における計数結果に基づくものである。また、回収結果は、回収結果精査判定部８３における判定結果に基づき設定されたものである。この場合、項目番号２番のデータに関しては、回収データと計数データとにおける紙幣の枚数に不一致が生じているため、回収結果に異常が設定されている。
【００５６】
以上が、管理装置７０についての説明である。なお、上記図５を用いて、紙幣計数装置５０、管理装置７０の機能的な構成について説明したが、これら各装置に設けられた機能的な構成は、必ずしも上記図示した通りに実現される必要はなく、いずれかの装置にその全部若しくは一部が実現されていればよい。例えば、カードモジュール部５３を管理装置７０の構成要素の一つとしてもよいし、また例えば、回収結果精査判定部８３を紙幣計数装置５０の構成要素の一つとしてもよい。
【００５７】
ここで、図７、図８を用いて、島端金庫３０、紙幣計数装置５０、管理装置７０における処理の流れについて説明する。
【００５８】
まず、図７を用いて、島端金庫３０から紙幣を回収する際の島端金庫３０における処理の流れの一例について説明する。
【００５９】
島端金庫３０では、セキュリティカードがカードモジュール部３５に接触されるまで待機している（ステップＳ１０１でＮＯ）。ここで、従業員がセキュリティカードをカードモジュール部３５に接触させると（ステップＳ１０１でＹＥＳ）、これを受けた島端金庫３０は、認証処理部４１において、セキュリティカードの認証を行なう（ステップＳ１０２）。
【００６０】
認証の結果、認証に失敗した場合には（ステップＳ１０３でＮＯ）、島端金庫３０は再び、ステップＳ１０１の処理に戻ることになるが、認証に成功した場合には（ステップＳ１０３でＹＥＳ）、島端金庫３０は、回収データ書込み処理部４２において、セキュリティカードに回収データの書込みを行なうとともに（ステップＳ１０４）、ロック制御部４３において、ロック機構３７による扉３６のロックを解除させる（ステップＳ１０５）。
【００６１】
扉３６のロックが解除されると、これを受けた従業員は、扉３６を開放し紙幣収納部３３から紙幣の回収を行なう（ステップＳ１０６）。紙幣の回収が済み扉３６が閉じられると（ステップＳ１０７でＹＥＳ）、これを受けた島端金庫３０は、ロック制御部４３において、ロック機構３７による扉３６のロックを再開させる（ステップＳ１０８）。そして、この処理は終了する。
【００６２】
次に、図８を用いて、島端金庫３０から回収された紙幣を計数する際の紙幣計数装置５０、管理装置７０における処理の流れの一例について説明する。なお、ここに示す処理の流れはあくまで一例であり、ここに示す順序通りに処理が実行される必要はなく、処理順後は前後してもよい。
【００６３】
紙幣回収装置７０では、紙幣投入口に紙幣が投入されるまで待機している（ステップＳ２０１でＮＯ）。ここで、回収された紙幣が投入されると（ステップＳ２０１でＹＥＳ）、これを受けた紙幣回収装置７０は、紙幣の回収に際して用いられたセキュリティカードの接触を要求する（ステップＳ２０２）。この要求に応じて従業員がセキュリティカードをカードモジュール部５３に接触させると（ステップＳ２０３でＹＥＳ）、これを受けた紙幣回収装置７０は、認証処理部６１において、セキュリティカードの認証を行なう（ステップＳ２０４）。
【００６４】
認証の結果、認証に失敗した場合には（ステップＳ２０５でＮＯ）、紙幣計数装置５０は再び、ステップＳ２０１の処理に戻ることになるが、認証に成功した場合には（ステップＳ２０５でＹＥＳ）、紙幣計数装置５０は、カードデータ読取り処理部６２において、セキュリティカードからカードデータの読取りを行なうとともに（ステップＳ２０６）、回収データ消去処理部６３において、セキュリティカードから回収データを消去させる（ステップＳ２０７）。
【００６５】
上述したセキュリティカードに対しての処理が済むと、紙幣計数装置５０は次に、計数部５１において、投入された紙幣の計数を行う（ステップＳ２０８）。そして、計数が済むと、データ送信処理部６４において、当該計数により得られた計数データと、セキュリティカードから読み取られたカードデータとを管理装置７０に向けて送信する（ステップＳ２０９）。
【００６６】
管理装置７０は、カードデータ取得部８１、計数データ取得部８２において、紙幣計数装置５０から送られてきたカードデータと計数データとを取得する。そして、回収結果精査判定部８３において、計数データと当該カードデータ内に含まれた回収データとに基づき島端金庫３０からの紙幣の回収が正常に行なわれたか否かの判定を行なう（ステップＳ２１１）。判定の結果、紙幣の回収に異常があったと判定された場合（ステップＳ２１２でＮＯ）、その旨が従業員に通知された後（ステップＳ２１３）、回収結果データ作成部８４において、回収結果データが作成され（ステップＳ２１４）、それが回収結果データ管理部８５において管理されることになるが（ステップＳ２１５）、紙幣の回収が正常に行なわれたと判定された場合には（ステップＳ２１２でＹＥＳ）、そのまま回収結果データの作成とその管理とが開始され（ステップＳ２１４およびステップＳ２１５）、この処理は終了する。
【００６７】
以上が本発明の代表的な実施形態の一例であるが、本発明は、上記および図面に示す実施例に限定することなく、その要旨を変更しない範囲内で適宜変形して実施できるものである。
【００６８】
例えば、図７におけるステップＳ１０２の認証、ステップＳ１０４の回収データの書込みは、セキュリティカードがカードモジュール部３５に１度接触されたタイミングで同時に並列して行なうようにしてもよいし、認証のために１度接触された後、回収データの書込みのために再度接触を要求するようにしてもよい。なお、このことは、図８におけるステップＳ２０４の認証、ステップＳ２０６のカードデータの読取り、ステップＳ２０７の回収データの消去、に対しても同様のことが言える。
【００６９】
また、上記説明した通り、図８におけるステップＳ２１１の判定を紙幣計数装置５０側で行なうようにしてもよい。
【００７０】
また、図８においては、セキュリティカードからカードデータを読み取ると直ぐに、回収データを消去しているが、この消去処理を行うか否かやそのタイミングは変更することができる。
【００７１】
また、上記実施例においては、紙幣を収納する装置の一例として島端金庫３０を例に挙げて説明したが、この装置は島端金庫３０に限られず、例えば、両替機（元詰めタイプ）、スタック式の玉貸し処理機、スタック式のメダル貸し処理機等であってもよい。
【００７２】
また、上記実施例においては、セキュリティカードによる認証により扉３６のロックを解除させる場合について説明したが、扉３６のロックは鍵（図２参照）を用いて手動で解除できるようにしてもよい。この場合にも例えば、島端金庫３０内の記憶部３４に回収データを記憶させる等して紙幣が回収された記録を残すこととなる。
【００７３】
また、上記実施例においては、セキュリティカードがＩＣカードである場合を例に挙げて説明したが、セキュリティカードは持ち運びが可能でかつ、所定の記録領域を有する記録媒体であればよく、例えば、磁気式のカードであってもよいし、また、カードではなく携帯電話機等であってもよい。なお、セキュリティカードは、従業員のデータ等を記録する従業員カードと兼用してもよい。その際は、島端金庫３０の開閉を行なう権限のない従業員のカードでは開閉できなくすることもできる。
【００７４】
また、上記実施例においては、紙幣の回収を例に挙げて説明したが、特に、紙幣に限定されるわけではなく、硬貨の回収に際しても上記実施例同様の処理が行える。
【００７５】
また、回収した紙幣を束ねるバンドにＩＣチッブを内蔵させ、紙幣回収時に当該ＩＣチップに回収データを記録させるようにしてもよい。
【００７６】
また、上記説明した島端金庫３０、紙幣計数装置５０、管理装置７０における処理は、専用の回路に組み込まれたプログラムにより実施するように構成してもよいし、コンピュータにインストールされたプログラムにより実施するように構成してもよい。なお、プログラムは、ネットワーク等の通信手段により提供することは勿論、ＣＤ−ＲＯＭ等の記録媒体に記録して提供することも可能である。
【図面の簡単な説明】
【００７７】
【図１】パチンコホールの全体構成の一例を示す図である。
【図２】島端金庫３０の外観構成の一例を示す図である。
【図３】セキュリティカードの概要の一例を示す図である。
【図４】島端金庫３０の機能的な構成の一部を示す図である。
【図５】紙幣計数装置５０、管理装置７０の機能的な構成の一部を示す図である。
【図６】回収結果データのデータ構成の一例を示す図である。
【図７】島端金庫３０における処理の流れの一例を示すフローチャートである。
【図８】紙幣計数装置５０、管理装置７０における処理の流れの一例を示すフローチャートである。
【符号の説明】
【００７８】
１０    パチンコホール
１１    事務所
１２    遊技台
１３    玉貸し処理機
１４    玉計数機
１５    両替機
２０    島
２１    搬送機構
３０    島端金庫
３１    紙幣入金部
３２    紙幣識別部
３３    紙幣収納部
３４    記憶部
３５    カードモジュール部
３６    扉
３７    ロック機構
３８ａ    表示部
３８ｂ    操作部
３９    制御部
４１    認証処理部
４２    回収データ書込み処理部
４３    ロック制御部
５０    紙幣計数装置
５１    計数部
５２    紙幣収納部
５３    カードモジュール部
５４    通信部
５５    制御部
６１    認証処理部
６２    カードデータ読取り処理部
６３    回収データ消去処理部
６４    データ送信処理部
７０    管理装置
７１    表示部
７２    操作部
７３    通信部
７４    記憶部
７５    制御部
８１    カードデータ取得部
８２    計数データ取得部
８３    回収結果精査判定部
８４    回収結果データ作成部
８５    回収結果データ管理部
【図１】
0005167536.tif 000002
【図２】
0005167536.tif 000003
【図３】
0005167536.tif 000004
【図４】
0005167536.tif 000005
【図５】
0005167536.tif 000006
【図６】
0005167536.tif 000007
【図７】
0005167536.tif 000008
【図８】
0005167536.tif 000009